(57)【特許請求の範囲】
【請求項１】
軸線を中心とする筒状をなし、複数の錠剤を収容可能な収容空間が形成された収容部と、
前記収容空間に収容された前記錠剤を押圧する錠剤押圧面を有する錠剤押圧部と、
前記錠剤押圧面が初期位置から予め定めた規定位置まで移動するように前記錠剤押圧部を前記軸線周りに回転移動させる操作部と、
前記錠剤が少なくとも一つ配置可能な間隔を前記錠剤押圧面との間に空けて該錠剤押圧面に対向する錠剤受け面を有し、前記錠剤を外部に排出可能な排出位置まで前記錠剤受け面を前記錠剤押圧面に対して相対的に回転移動させる移動部と、
前記錠剤受け面が前記排出位置まで移動したことを検出する検出部と、を備え、
前記移動部は、前記錠剤押圧面と前記錠剤受け面との間に前記錠剤が挟持された状態で、前記錠剤押圧面が前記規定位置まで移動されることで、前記排出位置まで前記錠剤受け面を移動させる錠剤ケース。
【請求項２】
前記錠剤押圧部は、前記錠剤押圧面が形成され、前記錠剤を一つ受け入れるポケット部を有する請求項１に記載の錠剤ケース。
【請求項３】
前記錠剤受け面は、前記錠剤押圧面が前記ポケット部に収容された前記錠剤を押圧しながら前記規定位置まで移動することで、前記排出位置まで移動する請求項２に記載の錠剤ケース。
【請求項４】
前記錠剤押圧部は、前記規定位置を越えた位置まで前記錠剤押圧面を移動可能とされ、
前記錠剤押圧面が前記規定位置を越えて移動した場合に、前記錠剤押圧面を前記規定位置に復帰させるように前記錠剤押圧面を移動させる復帰部を備える請求項１から請求項３のいずれか一項に記載の錠剤ケース。
【請求項５】
前記収容部を有する第一ケースと、
前記第一ケースに着脱可能とされ、前記検出部を有する第二ケースとを備える請求項１から請求項４のいずれか一項に記載の錠剤ケース。
【請求項６】
前記第二ケースは、前記錠剤を外部に排出するための排出口を有し、
前記移動部は、前記排出口を閉塞するシャッター部を有し、
前記シャッター部は、前記錠剤受け面が前記排出位置まで移動することで前記排出口を開放する請求項５に記載の錠剤ケース。
【請求項７】
前記検出部は、検出部本体と、前記検出部本体から突出する検出突起部とを有し、
前記移動部は、前記検出突起部に接触可能な移動突出部を有し、
前記検出部本体は、
前記検出突起部が前記移動突出部によって突出方向と交差する方向に押圧されて、前記突出方向に対して予め定めた角度以上傾くことで前記錠剤受け面が前記排出位置まで移動したことを検出する請求項１から請求項６のいずれか一項に記載の錠剤ケース。
【請求項８】
前記検出部は、検出部本体と、前記検出部本体から突出する検出突起部とを有し、
前記移動部は、前記検出突起部に接触可能とされ、前記検出突起部に対して弾性力を与える移動弾性部を有し、
前記検出部本体は、
前記検出突起部が前記移動弾性部によって突出方向に押圧されることで前記錠剤受け面が前記排出位置まで移動したことを検出する請求項１から請求項６のいずれか一項に記載の錠剤ケース。
【請求項９】
複数の錠剤が収容された錠剤ケースから前記錠剤を取り出す錠剤取り出し方法であって、
軸線を中心とする筒状をなして複数の錠剤を収容可能な収容空間に収容された前記錠剤を押圧する錠剤押圧面の前方に前記錠剤を配置する錠剤配置工程と、
前記錠剤押圧面を前記錠剤とともに初期位置から予め定めた規定位置に向かって前記軸線周りに回転移動させる錠剤押圧面移動工程と、
前記錠剤が少なくとも一つ配置可能な間隔を前記錠剤押圧面との間に空けて該錠剤押圧面に対向する錠剤受け面を、前記錠剤押圧面と前記錠剤受け面との間に前記錠剤が挟持された状態で、前記錠剤押圧面が前記規定位置まで前記錠剤押圧面に対して相対的に移動することで、前記錠剤を外部に排出可能な排出位置まで前記錠剤受け面を移動する錠剤受け面移動工程と、
前記錠剤受け面が前記排出位置まで移動したことを検出する検出工程とを有する錠剤取り出し方法。
【発明の詳細な説明】
【技術分野】
【０００１】
本発明は、錠剤ケース及び錠剤取り出し方法に関する。
【背景技術】
【０００２】
食品や薬剤などの錠剤を携帯するための容器として、種々のタイプのものが開発されている。例えば、特許文献１には、錠剤ケースとして、錠剤を受容するように設けられたポケットを有する錠剤コンベヤを備える錠剤ディスペンサーが記載されている。この錠剤ディスペンサーでは、錠剤容器の内部の錠剤がポケットに入った状態で錠剤コンベヤが回動することで、錠剤を外部に取り出される。具体的には、錠剤ディスペンサーでは、錠剤コンベヤが閉鎖位置に位置することで、ポケットが錠剤容器の外部に露出せずに、錠剤容器の内部と連通している。この状態で錠剤容器が傾けられることでポケットに錠剤が装填される。錠剤がポケットに装填された状態で錠剤コンベヤがポケットを錠剤容器の外部に露出させる開放位置まで回動することで、錠剤が取り出される。
【先行技術文献】
【特許文献】
【０００３】
【特許文献１】特表２００６−５００２９１号公報
【発明の概要】
【発明が解決しようとする課題】
【０００４】
ところで、錠剤が薬剤である場合、患者が医師の指示通りに適切な量を錠剤ケースから取り出して服用する必要がある。そのため、錠剤が錠剤ケースから取り出されたことを検出することが望まれている。
【０００５】
本発明は、上記要望を解決するためになされたものであって、錠剤が錠剤ケースから取り出されたことを高い精度で検出することが可能な錠剤ケース及び錠剤取り出し方法を提供することを目的とする。
【課題を解決するための手段】
【０００６】
上記課題を解決するために、本発明は以下の手段を提案している。
本発明の一態様に係る錠剤ケースは、軸線を中心とする筒状をなし、複数の錠剤を収容可能な収容空間が形成された収容部と、前記収容空間に収容された前記錠剤を押圧する錠剤押圧面を有する錠剤押圧部と、前記錠剤押圧面が初期位置から予め定めた規定位置まで移動するように前記錠剤押圧部を前記軸線周りに回転移動させる操作部と、前記錠剤が少なくとも一つ配置可能な間隔を前記錠剤押圧面との間に空けて該錠剤押圧面に対向する錠剤受け面を有し、前記錠剤を外部に排出可能な排出位置まで前記錠剤受け面を前記錠剤押圧面に対して相対的に回転移動させる移動部と、前記錠剤受け面が前記排出位置まで移動したことを検出する検出部と、を備え、前記移動部は、前記錠剤押圧面と前記錠剤受け面との間に前記錠剤が挟持された状態で、前記錠剤押圧面が前記規定位置まで移動されることで、前記排出位置まで前記錠剤受け面を移動させる。
【０００７】
また、本発明の一態様に係る錠剤取り出し方法は、複数の錠剤が収容された錠剤ケースから前記錠剤を取り出す錠剤取り出し方法であって、軸線を中心とする筒状をなして複数の錠剤を収容可能な収容空間に収容された前記錠剤を押圧する錠剤押圧面の前方に前記錠剤を配置する錠剤配置工程と、前記錠剤押圧面を前記錠剤とともに初期位置から予め定めた規定位置に向かって前記軸線周りに回転移動させる錠剤押圧面移動工程と、前記錠剤が少なくとも一つ配置可能な間隔を前記錠剤押圧面との間に空けて該錠剤押圧面に対向する錠剤受け面を、前記錠剤押圧面と前記錠剤受け面との間に前記錠剤が挟持された状態で、前記錠剤押圧面が前記規定位置まで前記錠剤押圧面に対して相対的に移動することで、前記錠剤を外部に排出可能な排出位置まで前記錠剤受け面を移動する錠剤受け面移動工程と、前記錠剤受け面が前記排出位置まで移動したことを検出する検出工程とを有する。
【発明の効果】
【０００８】
本発明によれば、錠剤が錠剤ケースから取り出されたことを高い精度で検出することができる。
【図面の簡単な説明】
【０００９】
【図１】本発明の実施形態における錠剤ケースを説明する軸線方向の上方側から見た斜視図である。
【図２】本発明の実施形態における錠剤ケースを説明する側面図である。
【図３】本発明の実施形態における第一ケースと第二ケースとを説明する軸線方向の上方側から見た斜視図である。
【図４】本発明の実施形態における第一ケースの内部を説明する図２のＶＩ−ＶＩ断面における断面図である。
【図５】本発明の実施形態における第二ケースの内部を説明する図２のＶ−Ｖ断面における断面図である。
【図６】本発明の実施形態における第一ケースの分解図であって、軸線方向の上方側から見た分解斜視図である。
【図７】本発明の実施形態における第一ケースの分解図であって、軸線方向の下方側から見た分解斜視図である。
【図８】本発明の実施形態における第二ケースの分解図であって、軸線方向の上方側から見た分解斜視図である。
【図９】本発明の実施形態における第二ケースの分解図であって、軸線方向の下方側から見た分解斜視図である。
【図１０】本発明の実施形態における錠剤ケースから錠剤を取り出す錠剤取り出し方法を説明する図であって、錠剤押圧面が初期位置に配置された様子を説明する断面図である。
【図１１】本発明の実施形態における錠剤ケースから錠剤を取り出す錠剤取り出し方法を説明する図であって、ポケット部に錠剤が収容された様子を説明する断面図である。
【図１２】本発明の実施形態における錠剤ケースから錠剤を取り出す錠剤取り出し方法を説明する図であって、操作部によって移動中の錠剤押圧部の様子を説明する断面図である。
【図１３】本発明の実施形態における錠剤ケースから錠剤を取り出す錠剤取り出し方法を説明する図であって、錠剤押圧面が超過位置に配置された様子を説明する断面図である。
【図１４】本発明の実施形態における錠剤ケースから錠剤を取り出す錠剤取り出し方法を説明する図であって、錠剤押圧面が規定位置に配置された様子を説明する断面図である。
【図１５】本発明の実施形態における錠剤ケースから錠剤を取り出す錠剤取り出し方法を説明する図であって、錠剤が取り出された錠剤ケースを説明する斜視図である。
【図１６】本発明の実施形態におけるシャッター部や移動突出部の動きを説明する断面図であって、錠剤押圧面が初期位置に配置された状態でシャッター部及び移動突出部の様子を説明する断面図である。
【図１７】本発明の実施形態におけるシャッター部や移動突出部の動きを説明する断面図であって、操作部によって移動中のシャッター部及び移動突出部の様子を説明する断面図である。
【図１８】本発明の実施形態におけるシャッター部や移動突出部の動きを説明する断面図であって、錠剤押圧面が規定位置に配置された状態でシャッター部及び移動突出部の様子を説明する断面図である。
【図１９】本発明の実施形態における復帰部の動きを説明する断面図であって、錠剤押圧面が初期位置に配置された状態で復帰部の様子を説明する断面図である。
【図２０】本発明の実施形態における復帰部の動きを説明する断面図であって、操作部によって移動中の復帰部の様子を説明する断面図である。
【図２１】本発明の実施形態における復帰部の動きを説明する断面図であって、錠剤押圧面が超過位置に配置された状態で復帰部の様子を説明する断面図である。
【図２２】本発明の実施形態における復帰部の動きを説明する断面図であって、錠剤押圧面が規定位置に配置された状態で復帰部の様子を説明する断面図である。
【図２３】本発明の実施形態における錠剤ケースから錠剤を取り出されなかった場合を説明する図であって、錠剤押圧面が初期位置に配置された様子を説明する断面図である。
【図２４】本発明の実施形態における錠剤ケースから錠剤を取り出されなかった場合を説明する図であって、ポケット部に錠剤が収容されずに操作部によって移動中の錠剤押圧部の様子を説明する断面図である。
【図２５】本発明の実施形態における錠剤ケースから錠剤を取り出されなかった場合を説明する図であって、ポケット部に錠剤が収容されずに錠剤押圧面が超過位置に配置された様子を説明する断面図である。
【図２６】本発明の実施形態における錠剤ケースの第一ケースを小型第一ケースと交換する様子を説明する斜視図である。
【図２７】本発明の第二実施形態における検出部を説明する斜視図である。
【図２８】本発明の第二実施形態におけるシャッター部や移動突出部の動きを説明する断面図であって、錠剤押圧面が初期位置に配置された状態でシャッター部及び移動突出部の様子を説明する断面図である。
【図２９】本発明の第二実施形態におけるシャッター部や移動突出部の動きを説明する断面図であって、操作部によって移動中のシャッター部及び移動突出部の様子を説明する断面図である。
【図３０】本発明の第二実施形態におけるシャッター部や移動突出部の動きを説明する断面図であって、錠剤押圧面が規定位置に配置された状態でシャッター部及び移動突出部の様子を説明する断面図である。
【図３１】本発明の実施形態における最小構成の錠剤ケースを説明する模式図であって、同図（ａ）は錠剤押圧面が初期位置に配置された状態を説明する模式図であり、同図（ｂ）は錠剤押圧面が規定位置に配置された状態を説明する模式図である。
【発明を実施するための形態】
【００１０】
以下、本発明に係る実施形態について図１から図２６を参照して説明する。
本実施形態は、複数の錠剤２００が収容され、錠剤２００が取り出されたことを検出することが可能な錠剤ケース１００に関するものである。
【００１１】
《第一実施形態》
第一実施形態の錠剤ケース１００は、複数の錠剤２００を内部に収容する。本実施形態で錠剤ケース１００に収容される錠剤２００は、厚みが幅よりも薄い円盤状をなしている。錠剤２００は、厚い方向が錠剤ケース１００の厚み方向と一致する姿勢で、錠剤ケース１００内に収容されている。錠剤ケース１００は、図１に示すように、外形が軸線Ｏを中心とする扁平な円盤状をなしている。錠剤ケース１００は、図２に示すように、外部に錠剤２００を取り出すために操作する操作部２３の一部が露出している。図３に示すように、錠剤ケース１００は、錠剤２００を内部に収容する第一ケース１１と、第一ケース１１に着脱可能とされる第二ケース１２と、を有する。図４に示すように、第一ケース１１内には、複数の錠剤２００が収容されている。図５に示すように第二ケース１２内には、後述する検出部３４が収容されている。
【００１２】
ここで、本実施形態では、軸線Ｏの延びる軸線Ｏ方向の第一ケース１１側を上方側、第二ケース１２側を下方側とする。また、本実施形態では、軸線Ｏ方向と直交する方向を径方向とする。
【００１３】
本実施形態の第一ケース１１は、図６及び図７に示すように、複数の錠剤２００を収容可能な収容空間Ｘを形成するトップケース部２１と、トップケース部２１に回転可能に取り付けられる錠剤押圧部２２と、錠剤押圧部２２を回転移動させる操作部２３と、錠剤押圧部２２の位置を予め定めた位置に復帰させる復帰部２４と、トップケース部２１に取り付けられるトップカバー部２５と、第二ケース１２にトップケース部２１を着脱可能に固定する第一着脱部２６と、を有する。
【００１４】
ここで、本実施形態では、トップケース部２１に対して軸線Ｏを中心として錠剤押圧部２２を回転させる方向を回転方向Ｄｃとする。
【００１５】
トップケース部２１は、トップカバー部２５とともに、第一ケース１１の外装を構成している。トップケース部２１は、図６に示すように、軸線Ｏを中心とする有底筒状をなすトップケース本体（収容部）２１１と、トップケース本体２１１の底部の軸線Ｏ方向の上方側を向くトップケース上面２１１ａから突出するトップ軸部２１２と、を有する。
【００１６】
トップケース本体２１１は、底部が軸線Ｏ方向の下方側に配置され、軸線Ｏ方向の上方側が開口するように側部が軸線Ｏ方向に延びた有底円筒状をなしている。トップケース本体２１１は、錠剤押圧部２２と、トップカバー部２５とともに複数の錠剤２００を収容可能な収容空間Ｘを内部に形成している。トップケース本体２１１は、底部を軸線Ｏ方向に貫通するケース貫通孔２１１ｃと、トップケース本体２１１の側部を径方向に貫通するトップケース側部貫通孔２１１ｄと、トップケース本体２１１の底部の軸線Ｏ方向の下方側を向くトップケース下面２１１ｂから凹むトップケース凹部２１１ｅとが形成されている。
【００１７】
ケース貫通孔２１１ｃは、後述する錠剤押圧部２２によって押圧された錠剤２００が通過する。ケース貫通孔２１１ｃは、錠剤２００を通過させることが可能な大きさでトップケース本体２１１の底部に形成される開口である。ケース貫通孔２１１ｃは、図７に示すように、軸線Ｏを中心とする回転方向Ｄｃに延びる扇形をなしてトップケース本体２１１の底部を貫通している。
【００１８】
トップケース側部貫通孔２１１ｄは、トップケース本体２１１の側部を径方向に貫通し、トップケース上面２１１ａに沿って回転方向Ｄｃに延びる矩形状をなす貫通孔である。トップケース側部貫通孔２１１ｄは、軸線Ｏを境界として、ケース貫通孔２１１ｃと反対側の位置に設けられている。トップケース側部貫通孔２１１ｄは、回転方向Ｄｃの長さが予め定めた幅にわたって形成されている。ここで、トップケース側部貫通孔２１１ｄの予め定めた幅とは、後述する初期位置Ａから予め定めた規定位置Ｂまでの回転方向Ｄｃの距離よりも長くなるように、初期位置Ａから超過位置Ｃまでの回転方向Ｄｃの距離に対応して設定される。
【００１９】
トップケース凹部２１１ｅは、トップケース下面２１１ｂから矩形状をなして軸線Ｏ方向に凹んでいる。トップケース凹部２１１ｅは、第一着脱部２６をトップケース下面２１１ｂから突出させずに収容可能に形成されている。トップケース凹部２１１ｅは、軸線Ｏを中心として回転方向Ｄｃに均等に離れた位置に複数形成されている。本実施形態では、トップケース凹部２１１ｅは、四カ所形成されている。
【００２０】
トップ軸部２１２は、図６に示すように、トップケース上面２１１ａから軸線Ｏを中心とする円柱状をなして突出している。トップ軸部２１２は、軸線Ｏ方向の長さがトップケース本体２１１の側部よりも短くなるように形成されている。
【００２１】
錠剤押圧部２２は、収容空間Ｘに収容された錠剤２００を押圧する錠剤押圧面２２４ａを有する。錠剤押圧部２２は、錠剤押圧面２２４ａが初期位置Ａから予め定めた規定位置Ｂを越えた超過位置Ｃまで移動するように、トップケース部２１に対して軸線Ｏを中心に相対回転可能に取り付けられている。錠剤押圧部２２は、トップケース本体２１１内に収容されている。本実施形態の錠剤押圧部２２は、軸線Ｏを中心とする円板状をなしている。錠剤押圧部２２は、軸線Ｏ方向の下方側を向く押圧部下面２２２がトップケース上面２１１ａと接触した状態でトップケース本体２１１内に収容される。錠剤押圧部２２は、中心を軸線Ｏ方向に貫通する押圧部中心孔２２３と、錠剤押圧面２２４ａが形成されたポケット部２２４と、押圧部下面２２２から凹んで後述する復帰部２４が収容される復帰収容凹部２２５と、押圧部下面２２２から凹んで後述する操作部２３が嵌合される操作嵌合凹部２２６とが形成されている。
【００２２】
ここで、初期位置Ａとは、操作部２３を移動させていない初期状態における錠剤押圧面２２４ａの位置である。本実施形態の初期位置Ａは、図４に示すように、収容空間Ｘとポケット部２２４とが連通した状態での錠剤押圧面２２４ａの位置である。
また、規定位置Ｂとは、操作部２３を予め定めた距離だけ初期位置Ａから回転方向Ｄｃの前方側に移動した後の錠剤押圧面２２４ａの位置である。
また、超過位置Ｃとは、規定位置Ｂよりも回転方向Ｄｃの前方側に移動した後の錠剤押圧面２２４ａの位置である。
【００２３】
図７に示すように、押圧部中心孔２２３は、トップ軸部２１２が挿通可能に形成されている。押圧部中心孔２２３は、トップ軸部２１２の外形に対応する円形状の貫通孔である。つまり、押圧部中心孔２２３にトップ軸部２１２が挿入されることで、錠剤押圧部２２は、トップケース本体２１１内で軸線Ｏ回りに回転可能に保持されている。
【００２４】
ポケット部２２４は、錠剤押圧部２２を径方向の外側から切り欠くように形成されている。ポケット部２２４は、一つの錠剤２００のみを受け入れ可能な大きさに形成されている。ポケット部２２４は、回転方向Ｄｃの後方側に錠剤押圧面２２４ａが形成され、回転方向Ｄｃの前方側に後述する受け部３３２によって押される平面が形成されている。
【００２５】
錠剤押圧面２２４ａは、ポケット部２２４において、回転方向Ｄｃの前方側を向く面である。なお、回転方向Ｄｃの前方側とは、初期位置Ａの錠剤押圧面２２４ａが規定位置Ｂに向かう側であり、回転方向Ｄｃの後方側とは、規定位置Ｂの錠剤押圧面２２４ａが初期位置Ａに向かう側である。錠剤押圧面２２４ａは、収容する錠剤２００の形状に合わせた形状をなしている。例えば、本実施形態のように収容されている錠剤２００が円盤状をなしている場合には、錠剤押圧面２２４ａは、湾曲面を有している。
【００２６】
復帰収容凹部２２５は、押圧部中心孔２２３から径方向に離れた位置で断面形状が矩形状をなすように押圧部下面２２２から凹んでいる。復帰収容凹部２２５は、軸線Ｏを中心として回転方向Ｄｃに延びている。本実施形態の復帰収容凹部２２５は、軸線Ｏ方向の下方側から見た際に、回転方向Ｄｃに延びる扇形状をなしている。復帰収容凹部２２５は、後述する復帰部２４を押圧部下面２２２から突出させずに収容可能に形成されている。復帰収容凹部２２５は、回転方向Ｄｃの前方側を向く復帰部押圧面２２５ａと、回転方向Ｄｃの後方側を向く復帰部接触面２２５ｂとを有している。復帰部押圧面２２５ａと復帰部接触面２２５ｂとの回転方向Ｄｃの距離は、後述する復帰部２４の回転方向Ｄｃの長さよりも長く形成されている。
【００２７】
操作嵌合凹部２２６は、操作部２３とともに錠剤押圧部２２を回転移動させるために、操作部２３が嵌合される。操作嵌合凹部２２６は、押圧部下面２２２に開口するとともに、錠剤押圧部２２の外周面から径方向の内側に延びて断面形状が矩形状をなす第一嵌合凹部２２６ａと、第一嵌合凹部２２６ａに連通するとともに回転方向Ｄｃの両側に突出するように延び、かつ、断面形状が矩形状をなす第二嵌合凹部２２６ｂとによって構成されている。つまり、本実施形態の操作嵌合凹部２２６は、断面Ｔ字状をなして操作部２３の一部が嵌め込まれる溝として形成されている。
【００２８】
操作部２３は、錠剤押圧面２２４ａが初期位置Ａから規定位置Ｂまで移動するように錠剤押圧部２２を軸線Ｏ周りに回転移動させる。本実施形態の操作部２３は、外部から回転方向Ｄｃにスライドさせることで操作可能となっている。操作部２３は、図６に示すように、トップカバー部２５の外部に露出する操作部本体２３１と、操作部本体２３１と一体に形成されて操作嵌合凹部２２６に嵌合する操作凸部２３２とを有する。
【００２９】
操作部本体２３１は、断面矩形状をなして回転方向Ｄｃに延在している。操作部本体２３１は、図２に示すように、第一ケース１１及び第二ケース１２の外周面を径方向の外側から覆うように形成されている。操作部本体２３１は、径方向の外側を向く面に滑り止め用の突起が複数形成されている。
【００３０】
操作凸部２３２は、操作部本体２３１の径方向の内側を向く面から突出している。操作凸部２３２は、操作嵌合凹部２２６に嵌め込まれることで、錠剤押圧部２２を操作部本体２３１の動きに合わせて移動可能とする。本実施形態の操作凸部２３２は、トップケース側部貫通孔２１１ｄからトップケース本体２１１内に挿入された状態で、操作嵌合凹部２２６に嵌め込まれる。操作凸部２３２は、操作部本体２３１から径方向の内側に直方状をなして延びる第一操作凸部２３２ａと、第一操作凸部２３２ａの先端から回転方向Ｄｃの両側に直方状をなして突出する第二操作凸部２３２ｂとによって構成されている。つまり、本実施形態の操作凸部２３２は、Ｔ字状をなして操作嵌合凹部２２６に嵌め込まれるよう形成されている。操作凸部２３２は、第一操作凸部２３２ａがトップケース側部貫通孔２１１ｄ内を回転方向Ｄｃに移動することで、錠剤押圧面２２４ａが初期位置Ａから規定位置Ｂまで移動するように錠剤押圧部２２を軸線Ｏ周りに回転移動させる。
【００３１】
復帰部２４は、錠剤押圧面２２４ａが規定位置Ｂを越えて超過位置Ｃまで移動した場合に、錠剤押圧面２２４ａを規定位置Ｂに復帰させるように錠剤押圧部２２を移動させる。復帰部２４は、復帰収容凹部２２５に収容されて復帰部接触面２２５ｂに接触した状態で、トップケース本体２１１のトップケース上面２１１ａに固定されている。本実施形態の復帰部２４は、回転方向Ｄｃに延びるバネ材やゴムのような弾性部材である。復帰部２４は、錠剤押圧面２２４ａが初期位置Ａに配置されている状態では、復帰部接触面２２５ｂに接触しつつ、復帰部押圧面２２５ａには接触しない位置に配置されている。復帰部２４は、錠剤押圧面２２４ａが超過位置Ｃに配置されている状態では、復帰部押圧面２２５ａによって回転方向Ｄｃに押圧されつつ、復帰部接触面２２５ｂには接触しない位置に配置されている。復帰部２４は、押圧された場合に、復帰部押圧面２２５ａを回転方向Ｄｃの後方側に向かって押し戻して、錠剤押圧面２２４ａが規定位置Ｂに配置されるように錠剤押圧部２２の位置を戻す。
【００３２】
トップカバー部２５は、トップケース本体２１１の上方側の開口を閉塞するようにトップカバー本体２５１に取り付けられている。トップカバー部２５は、軸線Ｏを中心とする円板状をなすトップカバー本体２５１と、トップ軸部２１２が挿入されるトップ軸部挿入部２５２と、収容空間Ｘの一部を塞ぐカバー閉塞部２５３とを有する。
【００３３】
トップカバー本体２５１は、軸線Ｏ方向の下方側を向くトップカバー下面２５１ａと、錠剤押圧部２２の軸線Ｏ方向の上方側を向く押圧部上面２２１と、トップケース本体２１１の側部の内側を向く面と、によって収容空間Ｘを形成している。トップカバー本体２５１がトップケース本体２１１に取り付けられることで、押圧部上面２２１とトップカバー下面２５１ａとの距離が、収容空間Ｘ内で錠剤２００が移動可能、かつ、姿勢を変更することが不能となるように、錠剤２００の厚みよりも若干大きい程度に設定される。
【００３４】
トップ軸部挿入部２５２は、トップカバー下面２５１ａから軸線Ｏ方向の下方側に円筒状をなして突出している。トップ軸部挿入部２５２は、トップ軸部２１２の先端が嵌め込まれる。トップカバー部２５は、トップ軸部挿入部２５２にトップ軸部２１２が嵌め込まれることで、トップケース部２１に取り付けられる。
【００３５】
カバー閉塞部２５３は、トップカバー下面２５１ａから軸線Ｏ方向の下方側に突出している。カバー閉塞部２５３は、トップケース本体２１１に取り付けられることで、トップカバー下面２５１ａと押圧部上面２２１との間に錠剤２００が嵌まり込まないように形成されている。本実施形態のカバー閉塞部２５３は、トップカバー下面２５１ａから押圧部上面２２１と摺接する長さで突出する複数のリブである。カバー閉塞部２５３は、トップケース部２１がトップケース部２１に取り付けられた状態で軸線Ｏ方向の下方側から見た際に、ケース貫通孔２１１ｃの回転方向Ｄｃの前方側の一部を閉塞する位置に形成されている。カバー閉塞部２５３は、錠剤押圧面２２４ａが初期位置Ａに配置されている状態で、ポケット部２２４を閉塞しないように、ポケット部２２４の錠剤押圧面２２４ａと対向する面よりも回転方向Ｄｃの前方側に配置されるよう形成されている。つまり、カバー閉塞部２５３は、錠剤押圧面２２４ａが規定位置Ｂや超過位置Ｃに配置されている場合には、ポケット部２２４を閉塞する位置に配置される。
【００３６】
第一着脱部２６は、後述する第二ケース１２の第二着脱部３５と着脱可能とされている。第一着脱部２６は、トップケース凹部２１１ｅに嵌め込まれて、トップケース下面２１１ｂから突出しないように固定されている。本実施形態の第一着脱部２６は、複数の磁石である。本実施形態では、第一着脱部２６は、四つ設けられている。
【００３７】
本実施形態の第二ケース１２は、図８及び図９に示すように、ボトムカバー部３２と、ボトムカバー部３２に取り付けられるボトムケース部３１と、ボトムカバー部３２に回転可能に支持される移動部３３と、移動部３３が移動したことを検出する検出部３４と、ボトムケース部３１に固定されて第一着脱部２６に着脱可能な第二着脱部３５と、を有する。
【００３８】
ボトムカバー部３２は、ボトムケース部３１とともに、第二ケース１２の外装を構成している。ボトムカバー部３２は、図８に示すように、軸線Ｏを中心とする円板状をなすボトムカバー本体３２１と、ボトムカバー本体３２１の底部の軸線Ｏ方向の上方側を向くボトムカバー上面３２１ａから突出するボトム軸部３２２と、を有する。
【００３９】
ボトム軸部３２２は、ボトムカバー上面３２１ａから軸線Ｏを中心とする円柱状をなして突出している。ボトム軸部３２２は、軸線Ｏ方向の長さが後述するボトムケース本体３１１の側部よりも短くなるように形成されている。
【００４０】
ボトムケース部３１は、ボトムカバー部３２とともに内部に移動部３３及び検出部３４を収容する空間を形成する。ボトムケース部３１は、図９に示すように、軸線Ｏを中心とする有底筒状をなすボトムケース本体３１１と、ボトム軸部３２２が挿入されるボトム軸部挿入部３１２と、外部へ錠剤２００を取り出すため排出口Ｙを形成する排出口形成部３１３と、移動部３３の移動を規制する移動規制部３１４と、を有する。
【００４１】
ボトムケース本体３１１は、図８に示すように、底部が軸線Ｏ方向の上方側に配置され、軸線Ｏ方向の下方側が開口するように側部が軸線Ｏ方向に延びた有底円筒状をなしている。ボトムケース本体３１１は、ボトムケース本体３１１の側部を径方向及び軸線Ｏ方向に貫通するボトムケース側部貫通孔３１１ｃと、ボトムケース本体３１１の底部の軸線Ｏ方向の上方側を向くボトムケース上面３１１ａから凹むボトムケース凹部３１１ｄとが形成されている。
【００４２】
ボトムケース側部貫通孔３１１ｃは、矩形状をなしてボトムケース本体３１１の側部及び底部を径方向に貫通している。ボトムケース側部貫通孔３１１ｃは、回転方向Ｄｃに予め定めた幅にわたって形成されている。ここで、ボトムケース側部貫通孔３１１ｃの予め定めた幅とは、錠剤２００を取り出すために必要な幅であって、錠剤２００の幅より長くなるように設定される。
【００４３】
ボトムケース凹部３１１ｄは、ボトムケース上面３１１ａから矩形状をなして軸線Ｏ方向に凹んでいる。ボトムケース凹部３１１ｄは、第二着脱部３５をボトムケース上面３１１ａから突出させずに収容可能に形成されている。ボトムケース凹部３１１ｄは、軸線Ｏを中心として回転方向Ｄｃに均等に離れた位置に複数形成されている。本実施形態では、ボトムケース凹部３１１ｄは、四カ所形成されている。
【００４４】
ボトム軸部挿入部３１２は、図９に示すように、ボトムケース本体３１１の底部の軸線Ｏ方向の下方側を向くボトムケース下面３１１ｂから軸線Ｏ方向の下方側に円筒状をなして突出されている。ボトム軸部挿入部３１２は、ボトム軸部３２２の先端が嵌め込まれる。ボトムケース部３１は、ボトム軸部挿入部３１２にボトム軸部３２２が嵌め込まれることで、ボトムカバー部３２に取り付けられる。
【００４５】
排出口形成部３１３は、ボトムケース側部貫通孔３１１ｃとともに、排出口Ｙを形成する。排出口形成部３１３は、ボトムケース本体３１１の側部の内側を向く面から径方向に延びる第一排出壁部３１３ａと、ボトムケース側部貫通孔３１１ｃを挟んで第一排出壁部３１３ａと対向する第二排出壁部３１３ｂと、第二排出壁部３１３ｂに接続されて回転方向Ｄｃに延びる第三排出壁部３１３ｃと、第三排出壁部３１３ｃとボトムケース本体３１１の側部とを接続する第四排出壁部３１３ｄとを有する。
【００４６】
第一排出壁部３１３ａは、ボトムケース側部貫通孔３１１ｃよりも回転方向Ｄｃの後方側に形成されている。第一排出壁部３１３ａは、ボトムケース下面３１１ｂから平板状をなして突出しており、ボトムケース本体３１１の側部から径方向の内側に向かって延びている。
【００４７】
第二排出壁部３１３ｂは、ボトムケース側部貫通孔３１１ｃよりも回転方向Ｄｃの前方側に形成されている。第二排出壁部３１３ｂは、第一排出壁部３１３ａに対してボトムケース側部貫通孔３１１ｃを挟み込むように回転方向Ｄｃに間隔を空けて形成されている。第二排出壁部３１３ｂは、ボトムケース本体３１１の側部の内側を向く面から離れた位置でボトムケース下面３１１ｂから平板状をなして突出し、径方向に延びている。第二排出壁部３１３ｂは、第一排出壁部３１３ａ及び後述する第三規制壁部３１４ｃとともに、ボトムケース側部貫通孔３１１ｃに連通する空間をボトムケース本体３１１内に形成することで、排出口Ｙを形成している。
【００４８】
第三排出壁部３１３ｃは、第二排出壁部３１３ｂの径方向の外側の端部から回転方向Ｄｃの前方側に向かって延びている。第三排出壁部３１３ｃは、ボトムケース下面３１１ｂから湾曲する板状をなして突出している。第三排出壁部３１３ｃは、ボトムケース本体３１１の側部に対して径方向に間隔を空けて平行に配置されている。第三排出壁部３１３ｃは、回転方向Ｄｃの長さが、後述するシャッター部３３４の回転方向Ｄｃの長さに対応して設定される。
【００４９】
第四排出壁部３１３ｄは、第三排出壁部３１３ｃの回転方向Ｄｃの前方側の端部とボトムケース本体３１１の側部とを接続するように径方向に延びている。第四規制壁部３１４ｄは、ボトムケース下面３１１ｂから平板状をなして突出している。
【００５０】
移動規制部３１４は、後述する移動部３３のガイド部３３３の位置を規制する。移動規制部３１４は、排出口Ｙと連通し、ガイド部３３３が挿入される溝部を形成する。移動規制部３１４は、第一排出壁部３１３ａと接続される第一規制壁部３１４ａと、第二排出壁部３１３ｂと接続される第二規制壁部３１４ｂと、第一規制壁部３１４ａ及び第二規制壁部３１４ｂと間隔を空けて形成される第三規制壁部３１４ｃと、第一規制壁部３１４ａと第三規制壁部３１４ｃとを接続する第四規制壁部３１４ｄと、第二規制壁部３１４ｂと第三規制壁部３１４ｃとを接続する第五規制壁部３１４ｅとを有する。
【００５１】
第一規制壁部３１４ａは、第一排出壁部３１３ａの径方向の内側の端部から回転方向Ｄｃの後方側に延びている。第一規制壁部３１４ａは、ボトムケース本体３１１の側部に対して平行に湾曲する板状をなしてボトムケース下面３１１ｂから突出している。
【００５２】
第二規制壁部３１４ｂは、第二排出壁部３１３ｂの径方向の内側の端部から回転方向Ｄｃの前方側に延びている。第二規制壁部３１４ｂは、ボトムケース本体３１１の側部に対して平行に湾曲する板状をなしてボトムケース下面３１１ｂから突出している。第二規制壁部３１４ｂは、軸線Ｏからの径方向の位置が第一規制壁部３１４ａと同じ位置に形成されている。第二規制壁部３１４ｂは、第一規制壁部３１４ａと回転方向Ｄｃの長さが同じ長さで形成されている。
【００５３】
第三規制壁部３１４ｃは、第一規制壁部３１４ａ及び第二規制壁部３１４ｂよりも径方向の内側に形成されている。第三規制壁部３１４ｃは、ボトムケース本体３１１の側部に対して平行に湾曲する板状をなしてボトムケース下面３１１ｂから突出している。第三規制壁部３１４ｃは、第一規制壁部３１４ａ及び第二規制壁部３１４ｂと平行に形成されている。第三規制壁部３１４ｃは、回転方向Ｄｃの後方側の端部の回転方向Ｄｃの位置が第一規制壁部３１４ａの回転方向Ｄｃの後方側の端部と同じになるように形成されている。第三規制壁部３１４ｃは、回転方向Ｄｃの前方側の端部の回転方向Ｄｃの位置が第二規制壁部３１４ｂの回転方向Ｄｃの前方側の端部と同じになるように形成されている。
【００５４】
第四規制壁部３１４ｄは、第三規制壁部３１４ｃの回転方向Ｄｃの後方側の端部と第一規制壁部３１４ａの回転方向Ｄｃの後方側の端部とを接続するように径方向に延びている。第四規制壁部３１４ｄは、ボトムケース下面３１１ｂから平板状をなして突出している。
【００５５】
第五規制壁部３１４ｅは、第三規制壁部３１４ｃの回転方向Ｄｃの前方側の端部と第二規制壁部３１４ｂの回転方向Ｄｃの前方側の端部とを接続するように径方向に延びている。第五規制壁部３１４ｅは、ボトムケース下面３１１ｂから平板状をなして突出している。第五規制壁部３１４ｅは、径方向の長さが第四規制壁部３１４ｄと同じ長さで形成されている。
【００５６】
移動部３３は、図８に示すように、錠剤２００が少なくとも一つ配置可能な間隔を空けて錠剤押圧面２２４ａに対向する錠剤受け面３３２ａを有する。移動部３３は、錠剤２００を外部に排出可能な排出位置Ｄまで錠剤受け面３３２ａを回転移動させるように、ボトムカバー部３２に軸線Ｏを中心に相対回転に取り付けられている。移動部３３は、錠剤押圧面２２４ａと錠剤受け面３３２ａとの間に錠剤２００が配置された状態で、錠剤押圧面２２４ａが規定位置Ｂまで移動されることで、排出位置Ｄまで錠剤受け面３３２ａを移動させる。
【００５７】
ここで、排出位置Ｄとは、錠剤２００を外部に排出可能な位置である。本実施形態の排出位置Ｄとは、図４に示すように、錠剤受け面３３２ａが到達することで、ポケット部２２４と排出口Ｙとが連通し、排出口Ｙが開放される位置である。
【００５８】
移動部３３は、図８に示すように、平板状をなす移動部本体３３１と、錠剤受け面３３２ａが形成された受け部３３２と、移動部本体３３１の移動をガイドするガイド部３３３と、移動部本体３３１から突出するシャッター部３３４と、シャッター部３３４よりも径方向の内側で移動部本体３３１から突出する移動突出部３３５とを有する。
【００５９】
移動部本体３３１は、軸線Ｏを中心とする円板状をなしている。移動部本体３３１は、図９に示すように、中心に軸線Ｏ方向に貫通する移動部中心孔３３１ｃが形成されている。移動部中心孔３３１ｃは、ボトム軸部３２２が挿通可能に形成されている。移動部中心孔３３１ｃは、ボトム軸部３２２の外形に対応する円形状の貫通孔である。つまり、移動部中心孔３３１ｃにボトム軸部３２２が挿入されることで、移動部本体３３１は、軸線Ｏ方向の下方側を向く移動部下面３３１ｂがボトムカバー上面３２１ａと接触した状態でボトムカバー部３２に回転可能に保持されている。
【００６０】
受け部３３２は、図８に示すように、移動部本体３３１の軸線Ｏ方向の上方側を向く移動部上面３３１ａから平板状をなして突出している。受け部３３２は、移動部３３がボトムケース部３１と組み合わされた状態でボトムケース上面３１１ａよりも軸線Ｏ方向の上方側に突出するよう形成されている。受け部３３２は、移動部本体３３１の外周面から径方向の内側に向かって延びている。受け部３３２は、第一排出壁部３１３ａ及び第二排出壁部３１３ｂと径方向の長さが同じ長さとなるように形成されている。受け部３３２は、移動部３３がボトムケース部３１と組み合わされた状態で、錠剤押圧面２２４ａが初期位置Ａにある場合には、第一排出壁部３１３ａに接触した状態で配置される。受け部３３２は、移動部３３がボトムケース部３１と組み合わされた状態で、錠剤押圧面２２４ａが超過位置Ｃにある場合には、第二排出壁部３１３ｂに接触した状態で配置される。
【００６１】
錠剤受け面３３２ａは、受け部３３２において、回転方向Ｄｃの後方側を向く面である。本実施形態の錠剤受け面３３２ａは、移動部上面３３１ａから垂直に延びる平面である。収容する錠剤２００の形状に合わせた形状をなしている。錠剤受け面３３２ａは、錠剤押圧面２２４ａが錠剤２００を押圧しながら規定位置Ｂに移動した場合に、排出位置Ｄに移動する。
【００６２】
ガイド部３３３は、受け部３３２と一体に形成されている。ガイド部３３３は、受け部３３２の径方向の内側の端部から回転方向Ｄｃの両側に延びている。ガイド部３３３は、ボトムケース本体３１１の側部に対して平行に湾曲する板状をなして移動部上面３３１ａから突出している。つまり、受け部３３２は、軸線Ｏ方向の上方側から見た際に、受け部３３２とともにＴ字状をなしている。ガイド部３３３は、移動部３３がボトムケース部３１と組み合わされた状態で移動規制部３１４によって形成される溝部に収容されるように、第一規制壁部３１４ａ及び第二規制壁部３１４ｂと、第三規制壁部３１４ｃとに挟まれるように形成されている。ガイド部３３３は、錠剤押圧面２２４ａが初期位置Ａにある場合には、回転方向Ｄｃの後方側の端部が第四規制壁部３１４ｄに接触した状態で配置される。ガイド部３３３は、錠剤押圧面２２４ａが超過位置Ｃにある場合には、回転方向Ｄｃの前方側の端部が第五規制壁部３１４ｅに接触した状態で配置される。
【００６３】
シャッター部３３４は、受け部３３２の径方向の外側の端部から回転方向Ｄｃの前方側に向かって、移動部本体３３１の外周面に沿って延びている。シャッター部３３４は、ボトムケース側部貫通孔３１１ｃの回転方向Ｄｃの長さよりも長く形成されている。シャッター部３３４は、移動部３３がボトムケース部３１と組み合わされた状態で、錠剤押圧面２２４ａが初期位置Ａにある場合には、回転方向Ｄｃの後方側の端部が第一排出壁部３１３ａに接触した状態で配置される。つまり、シャッター部３３４は、錠剤押圧面２２４ａが初期位置Ａにある場合には、ボトムケース側部貫通孔３１１ｃにおけるボトムケース本体３１１の側部の開口を閉塞している。シャッター部３３４は、移動部３３がボトムケース部３１と組み合わされた状態で、錠剤押圧面２２４ａが規定位置Ｂにある場合には、第三排出壁部３１３ｃ、第四排出壁部３１３ｄ及びボトムケース本体３１１の側部によって形成される空間に収容される。つまり。シャッター部３３４は、錠剤受け面３３２ａが排出位置Ｄにある場合には、ボトムケース側部貫通孔３１１ｃにおけるボトムケース本体３１１の側部の開口を開放している。シャッター部３３４は、移動部３３がボトムケース部３１と組み合わされた状態で、錠剤押圧面２２４ａが超過位置Ｃにある場合には、回転方向Ｄｃの前方側の端部が第四排出壁部３１３ｄに接触した状態で配置される。
【００６４】
移動突出部３３５は、シャッター部３３４よりも径方向の内側で移動部上面３３１ａから円筒状をなして突出している。つまり、移動突出部３３５は、移動部中心孔３３１ｃを径方向の外側から取り囲むように形成されている。移動突出部３３５は、軸線Ｏ方向の上方側から見た際に、一部が切り欠かれた円形状をなしている。移動突出部３３５は、切り欠かれた部分に回転方向Ｄｃの前方側を向く検出部押圧面３３５ａが形成されている。
【００６５】
検出部３４は、錠剤受け面３３２ａが排出位置Ｄまで移動したことを検出する。検出部３４は、ボトムケース部３１に固定される。検出部３４は、移動突出部３３５を介して移動部３３の位置を検出することで、錠剤押圧面２２４ａの位置を検出する。本実施形態の検出部３４は、後述する検出突起部３４３が一定角度以上傾くことで検出するセンサーである。検出部３４は、ボトムケース部３１に固定される検出部基板３４１と、検出部基板３４１に実装される検出部本体３４２と、検出部本体３４２から突出する検出突起部３４３と、検出部本体３４２に電力を供給する電源部３４４とを有する。
【００６６】
検出部基板３４１は、矩形状をなす基板である。検出部基板３４１は、検出突起部３４３が移動突出部３３５の切り欠きの間に配置されるようにボトムケース本体３１１に固定される。検出部基板３４１は、検出結果を記憶する不図示の記憶部や、外部に検出結果を報知する報知部が実装されていてもよい。
【００６７】
検出部本体３４２は、検出突起部３４３が突出方向に対して予め定めた角度以上傾くことで錠剤受け面３３２ａが排出位置Ｄまで移動したことを検出する。検出部本体３４２は、検出突起部３４３が検出部基板３４１の外周より突出するように検出部基板３４１に配置されている。
【００６８】
なお、本実施形態における予め定めた角度とは、初期位置Ａから規定位置Ｂまで錠剤押圧面２２４ａが移動した場合に、移動突出部３３５が回転することで、検出部押圧面３３５ａが移動する距離に対応して設定される。つまり、錠剤押圧面２２４ａが規定位置Ｂまで移動した場合に、検出部押圧面３３５ａによって突出方向と交差する方向に押圧された際の検出突起部３４３の傾きと同程度に設定される。
【００６９】
検出突起部３４３は、移動突出部３３５によって突出方向と交差する方向に押圧されることで検出部本体３４２に対して傾斜する。検出突起部３４３は、ボトムケース本体３１１に固定された検出部基板３４１に実装された検出部本体３４２から軸線Ｏに向かうように突出している。つまり、本実施形態における検出突起部３４３の突出方向は、径方向であって、突出方向と交差する方向とは回転方向Ｄｃである。したがって、検出突起部３４３は、ボトムケース本体３１１に検出部３４が固定される際に、移動部３３が回転した場合の移動突出部３３５の回転軌道上に配置される。
【００７０】
電源部３４４は、検出部基板３４１とは別にボトムケース本体３１１に固定される。電源部３４４は、検出部基板３４１に繋がれており、検出部本体３４２に電力を供給している。本実施形態の電源部３４４は、ボタン電池である。
【００７１】
第二着脱部３５は、第一着脱部２６と着脱可能とされている。第二着脱部３５は、ボトムケース凹部３１１ｄに嵌め込まれて、ボトムケース上面３１１ａから突出しないように固定されている。本実施形態の第二着脱部３５は、複数の磁石である。本実施形態では、第二着脱部３５は、四つ設けられている。
【００７２】
次に、上記構成の複数の錠剤２００が収容された錠剤ケース１００から錠剤２００を取り出す錠剤取り出し方法について図１０から図２５を用いて説明する。
錠剤ケース１００は、錠剤押圧面２２４ａが初期位置Ａに配置された状態で第一ケース１１と第二ケース１２とが組み合わされている。具体的には、錠剤押圧面２２４ａが初期位置Ａに配置された状態の第一ケース１１では、トップケース本体２１１のトップケース側部貫通孔２１１ｄの回転方向Ｄｃの前方側を向く面に操作凸部２３２が接触した状態で、操作凸部２３２に操作嵌合凹部２２６が嵌合している錠剤押圧部２２が配置されている。第二ケース１２では、受け部３３２の錠剤受け面３３２ａが第一排出壁部３１３ａに接触した状態で移動部３３が配置されている。そのため、第一着脱部２６と第二着脱部３５とによって第二ケース１２に第一ケース１１を取り付けることで、受け部３３２がケース貫通孔２１１ｃ及びポケット部２２４に挿通され、押圧部上面２２１よりも軸線Ｏ方向の上方側に突出する。したがって、錠剤押圧面２２４ａが初期位置Ａに配置された状態の錠剤ケース１００では、図１０に示すように、錠剤２００が一つ配置可能な間隔を空けて錠剤押圧面２２４ａに対向するように錠剤受け面３３２ａがポケット部２２４内に配置されている。
【００７３】
また、錠剤押圧面２２４ａが初期位置Ａに配置された状態では、図１６に示すように、受け部３３２の錠剤受け面３３２ａが第一排出壁部３１３ａと接触している。そのため、シャッター部３３４が、ボトムケース側部貫通孔３１１ｃにおけるボトムケース本体３１１の側部の開口を閉塞している。このとき、ガイド部３３３は、回転方向Ｄｃの後方側の端部が第四規制壁部３１４ｄに接触した状態で配置されている。
【００７４】
また、図１９から図２２は、第一ケース１１に組み付けられた錠剤押圧部２２の移動の様子を軸線Ｏ方向の下方側から見た図である。図１９に示すように、錠剤押圧面２２４ａが初期位置Ａに配置された状態において、復帰部２４は、回転方向Ｄｃの前方側の端部が復帰部接触面２２５ｂに接触しつつ、回転方向Ｄｃの後方側の端部が復帰部押圧面２２５ａには接触しない位置に配置されている。つまり、復帰部２４は、錠剤押圧面２２４ａが初期位置Ａに配置されている状態では、回転方向Ｄｃに押圧する力を受けておらず、変形していない。
【００７５】
その後、錠剤押圧面２２４ａが初期位置Ａに配置された状態から錠剤ケース１００を傾けることで、収容空間Ｘを収容された錠剤２００の一つが滑るように押圧部上面２２１上を移動し、図１１に示すように、ポケット部２２４に収容される。これにより、錠剤２００が錠剤押圧面２２４ａの前方に配置される（錠剤配置工程）。
【００７６】
ポケット部２２４に錠剤２００が収容された状態で、操作部本体２３１が外部から回転方向Ｄｃの前方側に向かって移動させるように操作される。操作部本体２３１が回転方向Ｄｃの前方側に向かって移動することで、錠剤押圧部２２も回転方向Ｄｃの前方側に向かって軸線Ｏを中心として回転する。錠剤押圧部２２が回転することで、ポケット部２２４の位置が移動し、錠剤押圧面２２４ａが初期位置Ａから規定位置Ｂに向かって回転方向Ｄｃの前方側に軸線Ｏ回りに回転移動する（錠剤押圧面移動工程）。
【００７７】
錠剤押圧面２２４ａが初期位置Ａから回転移動することで、ポケット部２２４内の錠剤２００が錠剤押圧面２２４ａによって押されて、回転方向Ｄｃの前方側に移動する。ポケット部２２４内の錠剤２００が回転方向Ｄｃの前方に移動することで、図１２に示すように、錠剤受け面３３２ａに錠剤２００が接触する。そのため、錠剤受け面３３２ａは、錠剤２００を介して錠剤押圧面２２４ａによって回転方向Ｄｃの前方側に向かって押される。
【００７８】
錠剤受け面３３２ａが回転方向Ｄｃの前方側に向かって押されることで、図１７に示すように、ガイド部３３３が第三規制壁部３１４ｃに沿って移動し、受け部３３２がシャッター部３３４とともに移動する。その結果、シャッター部３３４が、第三排出壁部３１３ｃ、第四排出壁部３１３ｄ及びボトムケース本体３１１の側部によって形成される空間に収容され始め、ボトムケース側部貫通孔３１１ｃにおけるボトムケース本体３１１の側部の開口が開放され始める。
【００７９】
また、受け部３３２が移動することで移動部本体３３１も回転移動し、移動突出部３３５が軸線Ｏを中心に回転する。そのため、移動突出部３３５の検出部押圧面３３５ａが検出突起部３４３に接触する。検出部押圧面３３５ａが検出突起部３４３に接触した状態で、さらに受け部３３２が移動して移動突出部３３５が回転移動することで、検出突起部３４３が検出部押圧面３３５ａによって回転方向Ｄｃの前方側に向かって押圧される。
【００８０】
また、錠剤押圧部２２が回転方向Ｄｃの前方側に向かって回転することで、図２０に示すように、トップケース上面２１１ａに固定されている復帰部２４に対して、復帰収容凹部２２５が回転方向Ｄｃの前方に移動する。そのため、復帰部接触面２２５ｂが復帰部２４の回転方向Ｄｃの前方側の端部から離れ、復帰部押圧面２２５ａが復帰部２４の回転方向Ｄｃの後方側の端部に近づく。
【００８１】
その後、錠剤２００が錠剤押圧面２２４ａと錠剤受け面３３２ａとに挟まれた状態で、操作凸部２３２がトップケース側部貫通孔２１１ｄの回転方向Ｄｃの後方側を向く面と接触するまで操作部本体２３１を移動する。その結果、図１３に示すように、錠剤押圧面２２４ａが規定位置Ｂを越えて超過位置Ｃまで移動する。
【００８２】
また、錠剤押圧面２２４ａが規定位置Ｂを越えることで、図１８に示すように、シャッター部３３４が第三排出壁部３１３ｃ、第四排出壁部３１３ｄ及びボトムケース本体３１１の側部によって形成される空間に完全に収容され、ボトムケース側部貫通孔３１１ｃにおけるボトムケース本体３１１の側部の開口が完全に開放される。
【００８３】
錠剤押圧面２２４ａが超過位置Ｃまで移動することで、図２１に示すように、復帰収容凹部２２５が、復帰部２４の回転方向Ｄｃの後方側の端部に復帰部押圧面２２５ａを押し付けるように回転方向Ｄｃの前方に移動する。そのため、トップケース上面２１１ａに固定されている復帰部２４は、復帰部押圧面２２５ａによって回転方向Ｄｃに前方側に向かって押圧される。つまり、復帰部２４は、錠剤押圧面２２４ａが超過位置Ｃに配置されている状態では、回転方向Ｄｃに圧縮されるよう変形している。
【００８４】
圧縮された復帰部２４は、図２２に示すように、元の長さになるように弾性力によって復帰部押圧面２２５ａを回転方向Ｄｃの後方側に向かって押し返す。その結果、錠剤押圧部２２は、回転方向Ｄｃの後方側に向かって押し戻されて、図１４に示すように、錠剤押圧面２２４ａが規定位置Ｂに配置される（錠剤受け面移動工程）。ここで、錠剤押圧部２２が復帰部２４によって回転方向Ｄｃの後方側に移動させられても、移動部３３は移動しないため、錠剤受け面３３２ａの位置は移動しない。そのため、錠剤押圧面２２４ａが錠剤２００から離れることで、錠剤押圧面２２４ａと錠剤受け面３３２ａとに挟まれていた錠剤２００は、図１５に示すように、自重で排出口Ｙに落下する。
【００８５】
また、受け部３３２とともに移動突出部３３５がさらに回転移動することで、検出突起部３４３が押圧されて径方向に対して予め定めた角度以上傾く。これにより、検出部本体３４２は、錠剤受け面３３２ａが排出位置Ｄまで移動したことを検出する（検出工程）。検出部本体３４２は、検出結果を不図示の記憶部に記憶したり、不図示の報知部を介して外部に報知したりする。
【００８６】
次に、錠剤２００がポケット部２２４に収容されていない状態で操作部２３が操作された場合を説明する。
図２３に示すように、ポケット部２２４に錠剤２００が収容していない状態で、操作部本体２３１が外部から回転方向Ｄｃの前方側に向かって移動させるように操作される。操作部本体２３１が回転方向Ｄｃの前方側に向かって移動することで、操作凸部２３２が操作嵌合凹部２２６に嵌合していることで、錠剤押圧部２２も回転方向Ｄｃの前方側に向かって軸線Ｏを中心として回転する。錠剤押圧部２２が回転することで、ポケット部２２４の位置が移動し、錠剤押圧面２２４ａが初期位置Ａから規定位置Ｂに向かって回転方向Ｄｃの前方側に軸線Ｏ回りに回転移動する。
【００８７】
ところが、錠剤２００がポケット部２２４に収容されていないため、錠剤受け面３３２ａは移動せずに、錠剤押圧面２２４ａのみが回転方向Ｄｃの前方側に向かって回転移動する。その後、錠剤押圧面２２４ａが錠剤受け面３３２ａに接触することで、図２４に示すように、錠剤押圧部２２が受け部３３２を直接押圧する。
【００８８】
その後、錠剤受け面３３２ａが錠剤押圧面２２４ａによって押圧されたまま、操作凸部２３２がトップケース側部貫通孔２１１ｄの回転方向Ｄｃの後方側を向く面と接触するまで操作部本体２３１を移動すると、図２５に示すように、錠剤受け面３３２ａが排出位置Ｄまで移動せずに、錠剤押圧面２２４ａが規定位置Ｂを越えて超過位置Ｃまで移動する。
【００８９】
錠剤受け面３３２ａは排出位置Ｄまで移動していないため、移動突出部３３５が十分に移動できずに、検出部本体３４２に対して予め定めた角度以上まで傾くように検出突起部３４３を押圧することができない。その結果、検出部本体３４２は、錠剤受け面３３２ａが排出位置Ｄまで移動したことを検出することがない。
【００９０】
上記のような第一実施形態の錠剤ケース１００及び錠剤取り出し方法によれば、錠剤押圧面２２４ａと錠剤受け面３３２ａとの間に錠剤２００が配置された状態で、錠剤押圧面２２４ａが規定位置Ｂまで移動されることで、排出位置Ｄまで錠剤受け面３３２ａを移動させることができる。一方、錠剤押圧面２２４ａと錠剤受け面３３２ａとの間に錠剤２００が配置されていない状態では、錠剤押圧面２２４ａが規定位置Ｂまで移動されても、排出位置Ｄまで錠剤受け面３３２ａを移動させることができない。つまり、排出位置Ｄに錠剤受け面３３２ａが移動した場合には、必ず錠剤押圧面２２４ａと錠剤受け面３３２ａとに錠剤２００が挟まれており、錠剤２００は収容空間Ｘから外部に排出される。したがって、錠剤受け面３３２ａが排出位置Ｄに移動したことを検出部３４が検出することで、錠剤２００が錠剤ケース１００から取り出されたことを高い精度で検出することができる。
【００９１】
また、ポケット部２２４を有することで、一つの錠剤２００のみを錠剤受け面３３２ａと錠剤押圧面２２４ａとの間に高い精度で配置することができる。そのため、錠剤２００一つ一つが取り出されたことをより高い精度で検出することができる。
【００９２】
また、錠剤受け面３３２ａは、錠剤押圧面２２４ａがポケット部２２４に収容された錠剤２００を押圧しながら規定位置Ｂに移動した場合に、排出位置Ｄに移動する。そのため、錠剤２００がポケット部２２４に入っていない場合には、錠剤受け面３３２ａは排出位置Ｄまで移動することができない。したがって、錠剤２００がポケット部２２４に入っていない場合には検出部３４は検出することができない。これにより、錠剤２００がポケット部２２４に入っている場合のみに検出部３４によって、錠剤２００が錠剤ケース１００から取り出されたことを検出することができる。
【００９３】
また、錠剤押圧部２２によって規定位置Ｂを越えて超過位置Ｃまで錠剤押圧面２２４ａを移動させた後に、復帰部２４によって錠剤押圧面２２４ａを規定位置Ｂまで戻すことができる。そのため、排出位置Ｄにおいて、錠剤押圧面２２４ａと錠剤受け面３３２ａとで挟み込んで移動させた錠剤２００から錠剤押圧面２２４ａを離すことができる。したがって、錠剤２００が錠剤押圧面２２４ａと錠剤受け面３３２ａとで挟み込まれた状態から解放されるため、排出位置Ｄにおいて錠剤２００を取り出し易くすることができる。
【００９４】
また、ボトムケース側部貫通孔３１１ｃにおけるボトムケース本体３１１の側部の開口をシャッター部３３４で閉塞することで、第一ケース１１と第二ケース１２とが組み合わされた状態の排出口Ｙを閉塞することができる。したがって、第一ケース１１と第二ケース１２とが組み合わされた状態で排出口Ｙから誤って錠剤２００が漏れ出てしまうことを防ぐことができる。また、錠剤受け面３３２ａが排出位置Ｄまで移動することで、シャッター部３３４が錠剤受け面３３２ａとともに移動して排出口Ｙを開放することで、排出位置Ｄまで錠剤２００を運ぶことで確実に錠剤２００を錠剤ケース１００から取り出すことができる。したがって、錠剤２００を取り出す行為を阻害することなく、収容されている錠剤２００が誤って漏れ出てしまうことを防止できる。
【００９５】
また、移動突出部３３５が軸線Ｏ回りに回転して検出部押圧面３３５ａで検出突起部３４３を押して、検出突起部３４３を径方向に対して一定角度以上傾けることで、検出部３４は、錠剤受け面３３２ａが排出位置Ｄまで移動したことを検出することができる。そのため、検出突起部３４３が傾く際に弾性力が働き、実装バラツキにより検出突起部３４３を押す移動突出部３３５の位置が多少ばらついても、検出突起部３４３に追従させることができる。そのため、錠剤ケース１００から錠剤２００が取り出されたことをより一層高い精度で検出することができる。
【００９６】
また、収容空間Ｘを形成するトップケース部２１を有する第一ケース１１と、検出部３４を有する第二ケース１２と着脱可能にすることで、収容空間Ｘが形成されたトップケース部２１と検出部３４とを別々準備したのちに錠剤ケース１００を構成することができる。また、図２６に示すように、例えば、第一ケース１１に収容されている錠剤２００よりも小型の錠剤２００を収容する小型第一ケース１１０を事前に準備しておくことで、小型第一ケース１１０を第二ケース１２に取り付けるだけで、錠剤２００の種類を変更することができる。したがって、異なる種類の錠剤２００を用いる場合でも事前に準備した異なる第一ケース１１に取り換えるだけで、容易に錠剤ケース１００を準備することができる。
【００９７】
《第二実施形態》
次に、図２７から図３０を参照して第二実施形態の錠剤ケースについて説明する。
第二実施形態においては第一実施形態と同様の構成要素には同一の符号を付して詳細な説明を省略する。この第二実施形態の錠剤ケースは、検出部と移動突出部の構成について、第一実施形態と相違する。
【００９８】
図２７に示すように、第二実施形態の検出部３４Ａは、検出突起部３４３Ａが突出方向に押圧されることで検出する押しボタン式のセンサーとなっている。第二実施形態の検出部３４Ａは、検出部本体３４２Ａから突出する検出突起部３４３Ａが、検出部本体３４２Ａに対して突出方向に移動する。
【００９９】
第二実施形態の検出部本体３４２Ａは、検出突起部３４３Ａが後述する移動弾性部３３８によって突出方向に押圧されることで錠剤受け面３３２ａが排出位置Ｄまで移動したことを検出する。
検出突起部３４３Ａは、ボトムケース本体３１１に固定された検出部基板３４１に実装された検出部本体３４２Ａから回転方向Ｄｃの後方側に向かうように突出している。つまり、本実施形態における検出突起部３４３Ａの突出方向は、回転方向Ｄｃである。したがって、検出突起部３４３Ａは、ボトムケース本体３１１に検出部３４Ａが固定される際に、移動部３３Ａが回転した場合の移動突出部３３６の回転軌道上に配置される。
【０１００】
第二実施形態の移動突出部３３６は、検出突起部３４３Ａに接触可能とされ、検出突起部３４３Ａに対して弾性力を与える移動弾性部３３８を有する。具体的には、移動突出部３３６は、シャッター部３３４よりも径方向の内側で移動部上面３３１ａから円筒状をなして突出している移動突出部本体３３７と、移動突出部本体３３７の回転方向Ｄｃの前方側の端部に配置された移動弾性部３３８とを有する。
【０１０１】
移動突出部本体３３７は、軸線Ｏ方向の上方側から見た際に、移動部中心孔３３１ｃを径方向の外側から取り囲むように一部が切り欠かれた円形状をなしている。
移動弾性部３３８は、移動突出部本体３３７の回転方向Ｄｃの前方側の端部に接続される弾性部本体３３８ａと、弾性部本体３３８ａに接続されて検出突起部３４３Ａを押圧する突起押圧部３３８ｂとを有する。
【０１０２】
弾性部本体３３８ａは、移動突出部本体３３７を回転方向Ｄｃの前方側に延長するように、一体に形成されている。弾性部本体３３８ａは、移動突出部本体３３７の回転方向Ｄｃの前方側の端部から回転方向Ｄｃの前方側に向かうにしたがって、移動部下面３３１ｂから離間して次第に軸線Ｏ方向の長さが短くなるように形成されている。つまり、弾性部本体３３８ａは、径方向の外側から見た際に、移動部下面３３１ｂ側が切り欠かれた台形状をなしている。
【０１０３】
突起押圧部３３８ｂは、弾性部本体３３８ａの回転方向Ｄｃの前方側の端部から径方向の外側に向かって突出している。突起押圧部３３８ｂは、移動部下面３３１ｂから離間した位置に形成され、矩形板状をなしている。突起押圧部３３８ｂは、回転方向Ｄｃの前方側を向く面が、検出部押圧面３３５ａとして形成されている。
【０１０４】
次に、第二実施形態において、検出部３４Ａが検出する際の動きを説明する。
錠剤押圧面２２４ａが初期位置Ａに配置された状態では、図２８に示すように、検出突起部３４３Ａは、ボトムケース本体３１１に検出部３４Ａが固定された状態で、移動部３３Ａが回転した場合の突起押圧部３３８ｂの回転軌道上に配置されている。
【０１０５】
その後、錠剤２００を介して錠剤押圧面２２４ａが錠剤受け面３３２ａを回転方向Ｄｃの前方側に向かって押し始めることで、図２９に示すように、受け部３３２が移動する。受け部３３２が移動することで移動部本体３３１も移動し、移動突出部本体３３７が軸線Ｏを中心に回転する。そのため、移動突出部本体３３７とともに、移動弾性部３３８も軸線Ｏを中心に回転移動し、突起押圧部３３８ｂが検出突起部３４３Ａに近づいていく。
【０１０６】
受け部３３２とともに移動部本体３３１がさらに回転移動することで、図３０に示すように、突起押圧部３３８ｂが、検出突起部３４３Ａと接触し、検出突起部３４３Ａを回転方向Ｄｃの前方側に押圧する。検出突起部３４３Ａは、突起押圧部３３８ｂの検出部押圧面３３５ａによって回転方向Ｄｃの前方側に向かって押圧されることで、検出部本体３４２Ａ側に向かって押し込まれる。これにより、検出部本体３４２Ａは、錠剤受け面３３２ａが排出位置Ｄまで移動したことを検出する。これにより、検出部本体３４２Ａは、検出結果を不図示の記憶部に記憶したり、不図示の報知部を介して外部に報知したりする。
【０１０７】
上記のような第二実施形態の錠剤ケース１００によれば、突起押圧部３３８ｂによって検出突起部３４３Ａが回転方向Ｄｃに押し込まれることで、検出部３４Ａは、錠剤受け面３３２ａが排出位置Ｄまで移動したことを検出することができる。また、弾性部本体３３８ａは、移動部下面３３１ｂ側が切り欠かれた形状をなしている。そのため、突起押圧部３３８ｂに対して回転方向Ｄｃとは異なる方向に力が働いた際に、移動突出部本体３３７に対して撓むことで、突起押圧部３３８ｂに対して回転方向Ｄｃとは異なる方向に働く力を分散させることができる。つまり、突起押圧部３３８ｂにバネ性を持たせることができる。したがって、検出部本体３４２Ａに検出突起部３４３Ａを押し込む際に、実装バラツキにより検出突起部３４３Ａを押す移動突出部３３６の位置が多少ばらついても、検出突起部３４３Ａに追従させることができる。そのため、錠剤ケース１００から錠剤２００が取り出されたことをより一層高い精度で検出することができる。
【０１０８】
なお、本実施形態では移動弾性部３３８を、弾性部本体３３８ａによって突起押圧部３３８ｂにバネ性を持たせたが、このような構造に限定されるものではなく、検出突起部３４３Ａに対して弾性力を与える構造であればよい。例えば、移動弾性部３３８は、バネやゴムのような弾性部材で形成することでバネ性を持たせてもよい。
【０１０９】
また、本発明の最小構成による錠剤ケース１０１は、図３１（ａ）に示すように、軸線Ｏを中心とする筒状をなし、複数の錠剤２０１を収容可能な収容空間５が形成された収容部４と、収容空間５に収容された錠剤２０１を押圧する錠剤押圧面６１を有する錠剤押圧部６と、錠剤押圧面６１が初期位置Ａ１から予め定めた規定位置Ｂ１まで移動するように錠剤押圧部６を軸線Ｏ周りに回転移動させる操作部７と、を備える。さらに、錠剤ケース１０１は、錠剤２０１が少なくとも一つ配置可能な間隔を錠剤押圧面６１にとの間に空けて錠剤押圧面６１に対向する錠剤受け面８１を有し、錠剤２０１を外部に排出可能な排出位置Ｄ１まで錠剤受け面８１を回転移動させる移動部８と、錠剤受け面３８１が排出位置Ｄ１まで移動したことを検出する検出部９と、を備える。
移動部８は、図３１（ｂ）に示すように、錠剤押圧面６１と錠剤受け面８１との間に錠剤２０１が配置された状態で、錠剤押圧面６１が規定位置Ｂ１まで移動されることで、排出位置Ｄ１まで錠剤受け面８１を移動させる。
【０１１０】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【０１１１】
なお、錠剤押圧面２２４ａと錠剤受け面３３２ａとの間は、本実施形態では、一つの錠剤２００のみを配置な間隔で形成されているが、このように形成されることに限定されるものではない。錠剤押圧面２２４ａと錠剤受け面３３２ａとの間は、少なくとも一つの錠剤２００が配置可能な間隔で形成されていれば良い。したがって、錠剤押圧面２２４ａと錠剤受け面３３２ａとの間は、複数の錠剤２００を収容可能な間隔を空けて形成されていてもよい。
【０１１２】
また、錠剤押圧面２２４ａは、湾曲した形状であることに限定されるものではなく、収容する錠剤２００の形状に合わせた形状をなしいればよい。例えば、錠剤押圧面２２４ａは、平面として形成されていてもよい。
【０１１３】
また、復帰部２４は、本実施形態のように弾性部材であることに限定されるものではなく、規定位置Ｂを越えて移動した錠剤押圧面２２４ａを規定位置Ｂに復帰させるように錠剤押圧部２２を移動させることができればよい。復帰部２４は、電気的に制御されて自動で錠剤押圧部２２の位置を調整する構造であっても良い。
【符号の説明】
【０１１４】
１００、１０１…錠剤ケース  ２００、２０１…錠剤  Ｏ…軸線  Ｄｃ…回転方向  １１…第一ケース  ２１…トップケース部  ２１１…トップケース本体（収容部）  ２１１ａ…トップケース上面  ２１１ｂ…トップケース下面  ２１１ｃ…ケース貫通孔  ２１１ｄ…トップケース側部貫通孔  ２１１ｅ…トップケース凹部  ２１２…トップ軸部  Ｘ、５…収容空間  ２２、６…錠剤押圧部  ２２１…押圧部上面  ２２２…押圧部下面  ２２３…押圧部中心孔  ２２４…ポケット部  ２２４ａ、６１…錠剤押圧面  Ａ、Ａ１…初期位置  Ｂ、Ｂ１…規定位置  Ｃ…超過位置  ２２５…復帰収容凹部  ２２５ａ…復帰部押圧面  ２２５ｂ…復帰部接触面  ２２６…操作嵌合凹部  ２２６ａ…第一嵌合凹部  ２２６ｂ…第二嵌合凹部  ２３、７…操作部  ２３１…操作部本体  ２３２…操作凸部  ２３２ａ…第一操作凸部  ２３２ｂ…第二操作凸部  ２４…復帰部  ２５…トップカバー部  ２５１…トップカバー本体  ２５１ａ…トップカバー下面  ２５２…トップ軸部挿入部  ２５３…カバー閉塞部  ２６…第一着脱部  １２…第二ケース  ３２…ボトムカバー部  ３２１…ボトムカバー本体  ３２１ａ…ボトムカバー上面  ３２２…ボトム軸部  ３１…ボトムケース部  ３１１…ボトムケース本体  ３１１ａ…ボトムケース上面  ３１１ｂ…ボトムケース下面  ３１１ｃ…ボトムケース側部貫通孔  ３１１ｄ…ボトムケース凹部  ３１２…ボトム軸部挿入部  ３１３…排出口形成部  ３１３ａ…第一排出壁部  ３１３ｂ…第二排出壁部  ３１３ｃ…第三排出壁部  ３１３ｄ…第四排出壁部  Ｙ…排出口  ３１４…移動規制部  ３１４ａ…第一規制壁部  ３１４ｂ…第二規制壁部  ３１４ｃ…第三規制壁部  ３１４ｄ…第四規制壁部  ３１４ｅ…第五規制壁部  ３３、３３Ａ、８…移動部  ３３１…移動部本体  ３３１ａ…移動部上面  ３３１ｂ…移動部下面  ３３１ｃ…移動部中心孔  ３３２…受け部  ３３２ａ、８１…錠剤受け面  Ｄ、Ｄ１…排出位置  ３３３…ガイド部  ３３４…シャッター部  ３３５、３３６…移動突出部  ３３５ａ、３３６ａ…検出部押圧面  ３４、３４Ａ、９…検出部  ３４１…検出部基板  ３４２、３４２Ａ…検出部本体  ３４３、３４３Ａ…検出突起部  ３４４…電源部  ３５…第二着脱部  ３３７…移動突出部本体  ３３８…移動弾性部  ３３８ａ…弾性部本体  ３３８ｂ…突起押圧部  １１０…小型第一ケース
【図１】
0006532101.tif 000002
【図２】
0006532101.tif 000003
【図３】
0006532101.tif 000004
【図４】
0006532101.tif 000005
【図５】
0006532101.tif 000006
【図６】
0006532101.tif 000007
【図７】
0006532101.tif 000008
【図８】
0006532101.tif 000009
【図９】
0006532101.tif 000010
【図１０】
0006532101.tif 000011
【図１１】
0006532101.tif 000012
【図１２】
0006532101.tif 000013
【図１３】
0006532101.tif 000014
【図１４】
0006532101.tif 000015
【図１５】
0006532101.tif 000016
【図１６】
0006532101.tif 000017
【図１７】
0006532101.tif 000018
【図１８】
0006532101.tif 000019
【図１９】
0006532101.tif 000020
【図２０】
0006532101.tif 000021
【図２１】
0006532101.tif 000022
【図２２】
0006532101.tif 000023
【図２３】
0006532101.tif 000024
【図２４】
0006532101.tif 000025
【図２５】
0006532101.tif 000026
【図２６】
0006532101.tif 000027
【図２７】
0006532101.tif 000028
【図２８】
0006532101.tif 000029
【図２９】
0006532101.tif 000030
【図３０】
0006532101.tif 000031
【図３１】
0006532101.tif 000032